(57)【要約】      （修正有）【課題】強固な構成部品、機構を用いて安全率が高く、かつ、簡単な操作でステップ軸への着脱が可能なマンコンベアのステップ装置を提供する。【解決手段】ステップ本体と、ステップ本体に軸支されるカム７と、カム７に連結され、カム７がステップ軸１１と当接することによりステップ本体側に回転してステップ本体とともにステップ軸１１を挟み込む口金蓋８と、ステップ本体及び口金蓋８の一方に設けられ、ステップ本体及び口金蓋８でステップ軸１１を挟み込んだ際にステップ本体及び口金蓋８の他方に着脱自在に係合する剛体からなる引掛金１３とを備えた。【選択図】図４
2008290806.tif 000002
【特許請求の範囲】
【請求項１】
ステップチェーンに設けられるステップ軸に着脱自在に固定されるマンコンベアのステップ装置において、
ステップ本体と、
前記ステップ本体に軸支されるカムと、
前記カムに連結され、前記カムが前記ステップ軸と当接することにより前記ステップ本体側に回転して前記ステップ本体とともに前記ステップ軸を挟み込む口金蓋と、
前記ステップ本体及び前記口金蓋の一方に設けられ、前記ステップ本体及び前記口金蓋で前記ステップ軸を挟み込んだ際に前記ステップ本体及び前記口金蓋の他方に着脱自在に係合する剛体からなる引掛金と、
を備えたことを特徴とするマンコンベアのステップ装置。
【請求項２】
引掛金は、常時、ステップ本体及び口金蓋の他方への係合方向へ付勢されることを特徴とする請求項１記載のマンコンベアのステップ装置。
【請求項３】
口金蓋は、閉状態において上下方向に貫通する取付穴を有し、
引掛金は、ステップ本体に設けられ、前記ステップ本体及び前記口金蓋でステップ軸を挟み込んだ際に前記取付穴を上方から貫通して前記口金蓋下面に係合することを特徴とする請求項２記載のマンコンベアのステップ装置。
【請求項４】
引掛金は、踏板の下方に配置され、前記踏板に形成された踏板穴の上方から挿入される着脱工具で操作されることにより口金蓋への係合から開放されることを特徴とする請求項３記載のマンコンベアのステップ装置。
【請求項５】
引掛金は、常時上方へ付勢され、口金蓋への係合から開放される際は下方へ押し込まれながら操作されることを特徴とする請求項４記載のマンコンベアのステップ装置。
【発明の詳細な説明】
【技術分野】
【０００１】
この発明は、ステップチェーンに設けられるステップ軸に着脱自在に固定されるステップ装置に関するものである。
【背景技術】
【０００２】
従来のマンコンベアのステップ装置のステップ軸への固定はねじ止め方式になっており、取り付け及び取り外しに時間がかかっていた。そこで、ステップ（踏段）の着脱時、ステップ軸（踏段軸）に係合して蓋を開閉させるカムと、蓋の前端側に突設された被嵌合体と、蓋が閉じられた際に被嵌合体と相対する踏段の部位に設けられ、ステップ取付時に、被嵌合体を嵌入して弾性把持し、蓋の閉状態を保持する嵌合体とを備えたステップ固定装置でステップ軸に固定されるステップ装置が提案されている（例えば、特許文献１参照）。
【０００３】
【特許文献１】特開平８−５９１６４号公報
【発明の開示】
【発明が解決しようとする課題】
【０００４】
しかし、特許文献１に記載のものは、ステップの着脱毎に被嵌合体、嵌合体が摺動することで、被嵌合体の径大部が摩耗して厚さが減少してがたつく原因となっていた。また、摺動による摩耗が嵌合体の径大部の耐力限界まで達すると強度不足により折損に至り、被嵌合体の頭部が嵌合体との嵌合から外れるのに伴い蓋が外れ、ステップ装置がステップ軸から脱落する恐れがあった。さらに、ステップの取り外し時に、全てのステップに対して着脱工具が必要であり、作業の煩わしさがあった。また、被嵌合体と嵌合体が正しく嵌合したのかを目視で確認できなかった。
【０００５】
この発明は、上述のような課題を解決するためになされたもので、その目的は、強固な構成部品、機構を用いて安全率が高く、かつ、簡単な操作でステップ軸への着脱が可能なマンコンベアのステップ装置を提供することである。
【課題を解決するための手段】
【０００６】
この発明に係るステップチェーンに設けられるステップ軸に着脱自在に固定されるマンコンベアのステップ装置は、ステップ本体と、前記ステップ本体に軸支されるカムと、前記カムに連結され、前記カムが前記ステップ軸と当接することにより前記ステップ本体側に回転して前記ステップ本体とともに前記ステップ軸を挟み込む口金蓋と、前記ステップ本体及び前記口金蓋の一方に設けられ、前記ステップ本体及び前記口金蓋で前記ステップ軸を挟み込んだ際に前記ステップ本体及び前記口金蓋の他方に着脱自在に係合する剛体からなる引掛金とを備えたものである。
【発明の効果】
【０００７】
この発明は、ステップ本体と、前記ステップ本体に軸支されるカムと、前記カムに連結され、前記カムが前記ステップ軸と当接することにより前記ステップ本体側に回転して前記ステップ本体とともに前記ステップ軸を挟み込む口金蓋と、前記ステップ本体及び前記口金蓋の一方に設けられ、前記ステップ本体及び前記口金蓋で前記ステップ軸を挟み込んだ際に前記ステップ本体及び前記口金蓋の他方に着脱自在に係合する剛体からなる引掛金とを備える構成としたことで、強固な構成部品、機構を用いて安全率が高く、かつ、簡単な操作でステップ軸への着脱が可能となる。
【発明を実施するための最良の形態】
【０００８】
この発明をより詳細に説明するため、添付の図面に従ってこれを説明する。なお、各図中、同一又は相当する部分には同一の符号を付しており、その重複説明は適宜に簡略化ないし省略する。
【０００９】
実施の形態１．
図１はこの発明の実施の形態１におけるマンコンベアのステップ装置の正面図、図２はこの発明の実施の形態１におけるマンコンベアのステップ装置の平面図、図３はこの発明の実施の形態１におけるマンコンベアのステップ装置の側面図、図４はこの発明の実施の形態１におけるマンコンベアのステップ装置の要部側面図、図５はこの発明の実施の形態１におけるマンコンベアのステップ装置の要部内部構造を示した側面図であって、ステップ軸への取り付け前の状態を示す図、図６はこの発明の実施の形態１におけるマンコンベアのステップ装置の要部内部構造を示した側面図であって、ステップ軸への取り付け後の状態を示す図、図７はこの発明の実施の形態１におけるマンコンベアのステップ装置のカム及び口金蓋の斜視図、図８はこの発明の実施の形態１におけるマンコンベアのステップ装置の引掛金、第一押バネ、第二押バネを示した側面図、図９はこの発明の実施の形態１におけるマンコンベアのステップ装置の引掛金、第一押バネ、第二押バネを示した分解図、図１０はこの発明の実施の形態１におけるマンコンベアのステップ装置の引掛金の斜視図、図１１はこの発明の実施の形態１におけるマンコンベアのステップ装置をステップ軸から取り外す際に用いる着脱工具の正面図である。
【００１０】
また、図１２はこの発明の実施の形態１におけるマンコンベアのステップ装置をステップ軸に取り付ける直前の状態を示した図、図１３はこの発明の実施の形態１におけるマンコンベアのステップ装置をステップ軸に取り付ける途中の状態を示した図であって、図１２の後の状態を示した図、図１４はこの発明の実施の形態１におけるマンコンベアのステップ装置をステップ軸に取り付ける途中の状態を示した図であって、図１３の後の状態を示した図、図１５はこの発明の実施の形態１におけるマンコンベアのステップ装置がステップ軸に取り付けられた状態を示した図であって、図１４の後の状態を示した図、図１６はこの発明の実施の形態１におけるマンコンベアのステップ装置をステップ軸から取り外す直前の状態を示した図、図１７はこの発明の実施の形態１におけるマンコンベアのステップ装置をステップ軸から取り外す動作を開始した状態を示した図であって、図１６の後の状態を示した図、図１８はこの発明の実施の形態１におけるマンコンベアのステップ装置をステップ軸から取り外す途中の状態を示した図であって、図１７の後の状態を示した図、図１９はこの発明の実施の形態１におけるマンコンベアのステップ装置をステップ軸から取り外す途中の状態を示した図であって、図１８の後の状態を示した図、図２０はこの発明の実施の形態１におけるマンコンベアのステップ装置がステップ軸から取り外された状態を示した図であって、図１９の後の状態を示した図である。
【００１１】
図において、１は踏板２、ライザー３、ブラケット４からなるステップ本体、５は追従ローラ、６は踏板２のライザー３が連結されていない一縁部直下でブラケット４に設けられ、踏板２一縁部側へ上昇傾斜して突出するステップ軸取付部、７はステップ軸取付部６近傍でブラケット４にピン７ａを介して軸支されるカム、８はカム７に直交して連結される口金蓋、９はステップ軸取付部６下面に設けられ、下方に開口する半円状の上部保持溝、１０は口金蓋８に設けられ、口金蓋８が上面をステップ本体１のステップ軸取付部６下面に当接させる状態からなる閉状態の場合において上方に開口する半円状の下部保持溝である（図１〜図４等参照）。
【００１２】
上記構成のマンコンベアのステップ装置は、トラス（図示せず）内で無端状に配置される一対のステップチェーン（図示せず）に跨って設けられる複数のステップ軸１１に着脱自在に固定されて循環移動するものである。即ち、ステップ装置はカム７をピン７ａから踏板２一縁部側へ延びるように水平配置した状態で（図５参照）、ステップ軸１１に当接させて口金蓋８をステップ本体１のステップ軸取付部６側に回転させることにより、上部保持溝９及び下部保持溝１０でステップ軸１１を挟み込んだ状態でステップ本体１と口金蓋８が固定される構成となっている（図６参照）。
【００１３】
ここで、１２は閉状態における口金蓋８の下部保持溝１０よりも踏板２一縁部側に形成され、上下面に対して直交して上下方向に貫通する横断面矩形状の取付穴である（図７等参照）。この取付穴１２下端の踏板２一縁部側には、取付穴１２から離れる方向へ下降傾斜する乗り上げ面及び乗り上げ面下縁部から口金蓋８下面に直交する係合面を備えた係合部１２ａが形成されている。
【００１４】
また、１３は上部保持溝９よりも踏板２一縁部側において、中央を踏板２下方でブラケット４のステップ軸取付部６に収納され、下部が閉状態における口金蓋８の取付穴１２を上方から貫通するように配置される剛体からなる引掛金である（図８〜図１０等参照）。この引掛金１３は、両側面に設けられるピン１４がステップ本体１のステップ軸取付部６上下面に対して直交するガイド穴６ａに摺動係合している。これにより、引掛金１３は、ステップ本体１のステップ軸取付部６に対してガイド穴６ａに沿って上下方向へ移動可能かつピン１４を中心として回転可能に構成されている。
【００１５】
また、引掛金１３下端には、踏板２一縁部側へ突出するラッチ１３ａが形成されている。このラッチ１３ａには、上面が引掛金１３の踏段２一縁部側に配置される一側面から下降傾斜して形成される一方、下面が引掛金１３のライザー側３に配置される他側面から上昇傾斜して形成され、上下面の交わり部には上方へ突出する引掛端が形成されている。引掛金１３が口金蓋８に係合する際は、このラッチ１３ａ上面を口金蓋８の係合部１２ａの乗り上げ面に面接触させて引掛端が口金蓋８の係合部１２ａ係合面に係合することにより、安定した状態が維持される構成である（図４、図６等参照）。
【００１６】
さらに、引掛金１３一側面中央には、踏板２一縁部側へ上昇傾斜して突出する被付勢部１３ｂが形成されている。この被付勢部１３ｂ下方には、第一押バネ１５が引掛金１３長手方向に圧縮されて配置される一方、その上方には第二押バネ１６が引掛金１３長手方向に直交する方向に圧縮されて配置され、ステップ本体１のステップ軸取付部６に収納されている（図５及び図６参照）。即ち、引掛金１３は、第一押バネ１５により被付勢部１３ｂ下面を常時上方へ付勢されるとともに、第二押バネ１６によりピン１４上方で一側面上部を常時ライザー３側へ付勢される構成となっている。換言すれば、引掛金１３は下部が踏板２一縁部側へ移動する方向、即ち、口金蓋８に係合する際の係合方向へ常時付勢される構成となっている。
【００１７】
加えて、引掛金１３の他側面上部には、ライザー３側に延びて端部が上方に突出する鉛直投影面略Ｌ字状の操作部１３ｃが形成されている。この操作部１３ｃ上方では、踏板２に踏板穴２ａが形成されている。ステップ装置を取り外す際は、この踏板穴２ａの上方から挿入される略く字状等の取手部を有する着脱工具１７（図１１参照）で引掛金１３の操作部１３ｃが操作されることにより、引掛金１３の口金蓋８への係合が開放可能になっている。
【００１８】
次に、上記のように構成されたステップ装置のステップ軸１１への着脱操作についてより詳細に説明する。ステップ装置の着脱操作は、トラスの中間傾斜部等で行われる。まず、最初に取り付けるステップ装置のカム７が踏板２一縁部側へ突出するように口金蓋８を開状態にしておく。そして、ステップ本体１の上部保持溝９がステップ軸１１に近づくように下方へ移動されると（図１２参照）、カム７下面がステップ軸１１外周面に当接し、ステップ軸１１に押されてカム７がピン７ａを中心として回転される（図１３参照）。さらにステップ装置が下方へ移動されると、引掛金１３のラッチ１３ａ下面（図１０のＡ部参照）が取付穴１２の踏板２一縁部側縁部（図７のＢ部参照）に当接される。このとき、引掛金１３は第一押バネ１５及び第二押バネ１６の復元力に抗しながらピン１４を中心として下部をライザー３側に移動するように回転する（図１４参照）。その後、引掛金１３が上方から取付穴１２を貫通し、ステップ軸取付部６下面と口金蓋８上面が当接して、上部保持溝９及び下部保持溝１０によりステップ軸１１が挟み込まれる（図１５参照）。このとき、引掛金１３のラッチ１３ａの引掛端が、口金蓋８の係合部１２ａの乗り上げ面を乗り越えて係合面に係合する。これにより、最初のステップ装置の組み込みが完了する。そして、適宜、取り付けたステップ装置はステップチェーンを駆動することにより移動され、上記で説明した手順を順次繰り返して全てのステップ装置がステップ軸１１に取り付けられる。
【００１９】
一方、最初のステップ装置を取り外す場合は、まず、着脱工具１７が上方から踏板２の踏板穴２ａから貫通される（図１６参照）。そして、着脱工具１７下端が引掛金１３の操作部１３ｃ上面に当接される（図１７参照）。その後、引掛金１３が第一押バネ１５の復元力に抗しながらピン１４をガイド穴６ａに沿わせて下方へ押し込まれ、ラッチ１３ａの引掛端が口金蓋８の係合部１２ａ係合面への係合から開放される（図１８参照）。次いで、着脱工具１７取手部が踏板穴２ａのライザー３側縁部を支点としてライザー３側へ移動されることにより、引掛金１３上部が踏板２一縁部側へ移動される（図１９参照）。このとき、引掛金１３がピン１４を中心として回転することで下部がライザー３側へ移動される。これにより、引掛金１３は口金蓋８の係合部１２ａへの係合から完全に開放される。この状態で、ステップ装置が上方へ移動されると、口金蓋８がピン７ａを中心として回転されるのに伴い、引掛金１３下部が取付穴１２上方から抜けて、ステップ装置の取り外しが完了する（図１９参照）。そして、次のステップ装置は、最初のステップ装置を取り外した際に形成された空間から手動で引掛金１３を操作することにより上記と同様の動作が行われる。これにより、着脱工具１７を使うことなく引掛金１３は口金蓋８の係合部１２ａへの係合から完全に開放され、ステップ装置が取り外される。
【００２０】
以上で説明した実施の形態１によれば、引掛金１３は剛体から構成されるため、摺動部分の摩耗耐力が大幅に向上される。このため、摺動による摩耗に起因したステップ装置のがたつきが発生しない。なお、引掛金１３が下方へ押し込まれ、ラッチ１３ａの引掛端が口金蓋８の係合部１２ａ係合面への係合から開放されるため、より確実な摩耗対策がなされているのはいうまでもない。また、摺動摩耗による折損部位がないため、ステップ本体１と口金蓋８が外れて、ステップ装置がステップ軸１１から脱落することもない。さらに、引掛金１３は口金蓋８に係合する際の係合方向へ常時付勢される構成のため、安全率が高い。加えて、ステップ装置の取り付け時には、特に着脱工具１７を必要とせず、また、ステップ装置の取り外し時においても一段目だけ着脱工具１７を使用すればよく、大幅に作業の手間を省くことができる。さらには、引掛金１３は、着脱操作の際にピン１４を中心として回転するため、上方から踏板穴２ａを介して引掛金１３の操作部１３ｃ等の水平方向の位置関係を目視することにより引掛金１３と口金蓋８が正しく係合しているかの確認を取ることができる。なお、取付穴１２をステップ軸取付部６に設け、引掛金１３を口金蓋８に設けても、摺動部分の摩耗耐力が大幅に向上されるステップ装置が実現されるのはいうまでもない。
【００２１】
実施の形態２．
図２１はこの発明の実施の形態２におけるマンコンベアのステップ装置の要部内部構造を示した側面図であって、ステップ軸への取り付け前の状態を示す図、図２２はこの発明の実施の形態２におけるマンコンベアのステップ装置の要部内部構造を示した側面図であって、ステップ軸への取り付け後の状態を示す図である。なお、実施の形態１と同一又は相当部分には同一符号を付して説明を省略する。
【００２２】
図において、１８は鉛直投影面略Ω字状に形成される口金蓋、１９は閉状態における口金蓋１８の下部保持溝２０よりも踏板（図２１及び図２２では図示せず）一縁部側に形成され、上下面に対して直交して上下方向に貫通する横断面矩形状の取付穴、２１は上部保持溝９よりも踏板一縁部側において、中央を踏板下方でブラケット（図２１及び図２２においては図示せず）のステップ軸取付部６に収納され、下部が閉状態における口金蓋１８の取付穴１９を上方から貫通するように配置される剛体からなる引掛金である。この引掛金２１は、両側面に設けられるピン２２によりステップ本体（図２１及び図２２においては図示せず）のステップ軸取付部６に軸支されている。これにより、引掛金２１は、ステップ本体のステップ軸取付部６に対してピン２２を中心として回転可能に構成されている。
【００２３】
また、引掛金２１下端には、踏板一縁部側へ突出するラッチ２１ａが形成されている。このラッチ２１ａには、上面が水平面で形成される一方、下面が引掛金２１一側面から上方へ傾斜する曲面状に形成されている。引掛金２１が口金蓋１８に係合する際は、このラッチ２１ａ上面を口金蓋１８下面に面接触させて係合することにより、安定した状態が維持される構成である。
【００２４】
さらに、引掛金２１のピン２２より下方のライザー（図２１及び図２２においては図示せず）側には第三押バネ２３が水平方向に圧縮されて配置される一方、ピン２２より上方の踏段２一縁部側には第四押バネ２４が水平方向に圧縮されて配置され、ステップ本体のステップ軸取付部６に収納されている。即ち、引掛金２１は、第三押バネ２３によりピン２２下方でライザー側に配置される他側面を常時踏板一縁部側へ付勢されるとともに、第四押バネ２４によりピン２２上方で踏段一縁部側に配置される一側面を常時ライザー側へ付勢される構成となっている。換言すれば、引掛金２１は下部が踏板一縁部側へ移動する方向、即ち、口金蓋１８に係合する際の係合方向へ常時付勢される構成となっている。加えて、引掛金２１他側面上端には、ライザー側に延びる操作部２１ｂが形成されている。なお、図２１及び図２２では、カムの図示は省略してある。
【００２５】
この場合、ステップ装置のステップ軸１１への取り付けは実施の形態１と同様である。一方、ステップ装置のステップ軸１１からの取り外しは、実施の形態１のように引掛金２１がピンをガイド穴に沿わせて下方へ押し込まれることなく、引掛金２１がピン２２を中心として回転することで下部がライザー側へ移動される。これにより、引掛金２１は口金蓋１８下面への係合から完全に開放される。この状態で、ステップ装置が上方へ移動されると、口金蓋１８がピン２５を中心として回転されるのに伴い、引掛金２１下部が取付穴１９上方から抜けて、ステップ装置の取り外しが完了する。
【００２６】
以上で説明した実施の形態２によれば、実施の形態１と同様の効果に加え、引掛金２１の構造を簡素化でき、安価なステップ装置を構成できる。
【図面の簡単な説明】
【００２７】
【図１】この発明の実施の形態１におけるマンコンベアのステップ装置の正面図である。
【図２】この発明の実施の形態１におけるマンコンベアのステップ装置の平面図である。
【図３】この発明の実施の形態１におけるマンコンベアのステップ装置の側面図である。
【図４】この発明の実施の形態１におけるマンコンベアのステップ装置の要部側面図である。
【図５】この発明の実施の形態１におけるマンコンベアのステップ装置の要部内部構造を示した側面図であって、ステップ軸への取り付け前の状態を示す図である。
【図６】この発明の実施の形態１におけるマンコンベアのステップ装置の要部内部構造を示した側面図であって、ステップ軸への取り付け後の状態を示す図である。
【図７】この発明の実施の形態１におけるマンコンベアのステップ装置のカム及び口金蓋の斜視図
【図８】この発明の実施の形態１におけるマンコンベアのステップ装置の引掛金、第一押バネ、第二押バネを示した側面図である。
【図９】この発明の実施の形態１におけるマンコンベアのステップ装置の引掛金、第一押バネ、第二押バネを示した分解図である。
【図１０】図１０はこの発明の実施の形態１におけるマンコンベアのステップ装置の引掛金の斜視図である。
【図１１】この発明の実施の形態１におけるマンコンベアのステップ装置をステップ軸から取り外す際に用いる着脱工具の正面図である。
【図１２】この発明の実施の形態１におけるマンコンベアのステップ装置をステップ軸に取り付ける直前の状態を示した図である。
【図１３】この発明の実施の形態１におけるマンコンベアのステップ装置をステップ軸に取り付ける途中の状態を示した図であって、図１２の後の状態を示した図である。
【図１４】この発明の実施の形態１におけるマンコンベアのステップ装置をステップ軸に取り付ける途中の状態を示した図であって、図１３の後の状態を示した図である。
【図１５】この発明の実施の形態１におけるステップ装置がステップ軸に取り付けられた状態を示した図であって、図１４の後の状態を示した図である。
【図１６】この発明の実施の形態１におけるマンコンベアのステップ装置をステップ軸から取り外す直前の状態を示した図である。
【図１７】この発明の実施の形態１におけるマンコンベアのステップ装置をステップ軸から取り外す動作を開始した状態を示した図であって、図１６の後の状態を示した図である。
【図１８】この発明の実施の形態１におけるマンコンベアのステップ装置をステップ軸から取り外す途中の状態を示した図であって、図１７の後の状態を示した図である。
【図１９】この発明の実施の形態１におけるマンコンベアのステップ装置をステップ軸から取り外す途中の状態を示した図であって、図１８の後の状態を示した図である。
【図２０】この発明の実施の形態１におけるマンコンベアのステップ装置がステップ軸から取り外された状態を示した図であって、図１９の後の状態を示した図である。
【図２１】この発明の実施の形態２におけるマンコンベアのステップ装置の要部内部構造を示した側面図であって、ステップ軸への取り付け前の状態を示す図である。
【図２２】この発明の実施の形態２におけるマンコンベアのステップ装置の要部内部構造を示した側面図であって、ステップ軸への取り付け後の状態を示す図である。
【符号の説明】
【００２８】
１  ステップ本体
２  踏板
２ａ  踏板穴
３  ライザー
４  ブラケット
５  追従ローラ
６  ステップ軸取付部
６ａ  ガイド穴
７  カム
７ａ  ピン
８  口金蓋
９  上部保持溝
１０  下部保持溝
１１  ステップ軸
１２  取付穴
１２ａ  係合部
１３  引掛金
１３ａ  ラッチ
１３ｂ  被付勢部
１３ｃ  操作部
１４  ピン
１５  第一押バネ
１６  第二押バネ
１７  着脱工具
１８  口金蓋
１９  取付穴
２０  下部保持溝
２１  引掛金
２１ａ  ラッチ
２１ｂ  操作部
２２  ピン
２３  第三押バネ
２４  第四押バネ
２５  ピン
【図１】
2008290806.tif 000003
【図２】
2008290806.tif 000004
【図３】
2008290806.tif 000005
【図４】
2008290806.tif 000006
【図５】
2008290806.tif 000007
【図６】
2008290806.tif 000008
【図７】
2008290806.tif 000009
【図８】
2008290806.tif 000010
【図９】
2008290806.tif 000011
【図１０】
2008290806.tif 000012
【図１１】
2008290806.tif 000013
【図１２】
2008290806.tif 000014
【図１３】
2008290806.tif 000015
【図１４】
2008290806.tif 000016
【図１５】
2008290806.tif 000017
【図１６】
2008290806.tif 000018
【図１７】
2008290806.tif 000019
【図１８】
2008290806.tif 000020
【図１９】
2008290806.tif 000021
【図２０】
2008290806.tif 000022
【図２１】
2008290806.tif 000023
【図２２】
2008290806.tif 000024